(57)【特許請求の範囲】
【請求項１】
円筒形状に巻いて毛巻きロッドを組み立てるシート状のロッド組立部を形成し、帯状の巻き戻り防止部をロッド組立部の一端に連結して形成し、ロッド組立部を円筒形状に巻いて組み立てた毛巻きロッドの一端側に突出する巻き戻り防止部に、毛巻きロッドの他端に嵌合する嵌め込み孔を貫通し、
ロッド組立部を円筒形状に巻いて毛巻きロッドを組み立て、この毛巻きロッドに毛髪を巻き、巻き戻り防止部を毛巻きロッド側に折り曲げ、毛巻きロッドに巻かれた毛髪を横断した巻き戻り防止部の嵌め込み孔と、毛髪が巻かれた毛巻きロッドの端を嵌合して、毛巻きロッドに巻かれた毛髪をその状態に保持する構成にしたことを特徴とするパーマネントウエーブ形成保持具。
【請求項２】
合成樹脂シートの一側部にロッド組立部を形成し、合成樹脂シートの他側部に巻き戻り防止部を形成したことを特徴とする請求項１に記載のパーマネントウエーブ形成保持具。
【請求項３】
毛巻きロッドの外周面になるロッド組立部の表面に、発泡合成樹脂シートのペーパが係止する面ファスナを固定したことを特徴とする請求項１または２に記載のパーマネントウエーブ形成保持具。
【発明の詳細な説明】
【０００１】
【発明の属する技術分野】
本発明は、パーマネントウエーブ形成保持具に関する。
【０００２】
【従来の技術】
現在、実用化されているパーマネントウエーブ形成保持具は、硬質合成樹脂の成形品であり、毛髪を渦巻き形状に巻き付ける円筒形状の毛巻きロッドと、毛髪を巻いた毛巻きロッドに被せるＣ形断面形状の巻き戻り防止カバーからなる。
【０００３】
また、実用化されていないが、スポンジや軟質塩化ビニールのような湾曲可能な軟質合成樹脂の長方形の板状本体にステンレス鋼や銅の針金を組み込んで、板状本体を手で湾曲してその湾曲状態に保持可能にしたパーマネントウエーブ形成保持具が発明されている。これは、パーマネントウエーブを形成するため、毛髪を巻く場合、板状本体を毛髪を挟んで巻き、毛髪を渦巻き形状に湾曲してその湾曲状態に保持する。
【０００４】
パーマネントウエーブを形成する場合、パーマネントウエーブ形成保持具で毛髪を渦巻き形状に湾曲した状態に保持し、その毛髪に第１パーマ剤を塗布し、所定時間の経過後、第１パーマ剤を洗い流して第２パーマ剤を塗布し、所定時間の経過後、パーマネントウエーブ形成保持具を取り外して第２パーマ剤を洗い流  し、パーマネントウエーブを形成した毛髪を乾燥する。
【０００５】
【発明が解決しようとする課題】
ところが、前者の毛巻きロッドのパーマネントウエーブ形成保持具は、毛巻きロッドと巻き戻り防止カバーが硬質合成樹脂の成形品であって重いので、頭髪の全体にパーマネントウエーブを形成するため、頭髪に多数個を取り付けた場合、頭が重くなって不快である。
【０００６】
また、毛巻きロッドと巻き戻り防止カバーは、円筒形状とＣ形断面形状であって立体形状であるので、嵩張り、保管や携帯に不便である。
【０００７】
後者の湾曲可能な板状のパーマネントウエーブ形成保持具は、針金を組み込んでいて重いので、前者と同様に、頭髪に多数枚を取り付けた場合、頭が重くなって不快である。
【０００８】
また、板状本体に組み込んだ針金は、湾曲を繰り返すので、切断して、その端が頭皮を傷付けるおそれがあり、危険である。
【０００９】
【課題を解決するための手段】
本発明は、円筒形状に巻いて毛巻きロッドを組み立てるシート状のロッド組立部を形成し、帯状の巻き戻り防止部をロッド組立部の一端に連結して形成し、ロッド組立部を円筒形状に巻いて組み立てた毛巻きロッドの一端側に突出する巻き戻り防止部に、毛巻きロッドの他端に嵌合する嵌め込み孔を貫通し、
ロッド組立部を円筒形状に巻いて毛巻きロッドを組み立て、この毛巻きロッドに毛髪を巻き、巻き戻り防止部を毛巻きロッド側に折り曲げ、毛巻きロッドに巻かれた毛髪を横断した巻き戻り防止部の嵌め込み孔と、毛髪が巻かれた毛巻きロッドの端を嵌合して、毛巻きロッドに巻かれた毛髪をその状態に保持する構成にしたことを特徴とするパーマネントウエーブ形成保持具である。
【００１０】
また、このパーマネントウエーブ形成保持具において、
合成樹脂シートの一側部にロッド組立部を形成し、合成樹脂シートの他側部に巻き戻り防止部を形成した。
【００１１】
更に、毛巻きロッドの外周面になるロッド組立部の表面に、発泡合成樹脂シートのペーパが係止する面ファスナを固定した。
【００１２】
【発明の実施の形態】
パーマネントウエーブ形成保持具は、湾曲や折曲が可能な合成樹脂シートを打ち抜き切断加工して、図１と図２に示すように、合成樹脂シート１の右側部にロッド組立部２を形成し、合成樹脂シート１の左側部に巻き戻り防止部５を形成している。
【００１３】
ロッド組立部２は、図１に示すように、長方形状に形成し、上端に矢印形状の係合片３を突出し、下端に、係合片３を差し込んで係合する係合口４を一文字形状に形成している。
【００１４】
巻き戻り防止部５は、図１に示すように、帯形状に形成し、基端をロッド組立部２の左下端に連結し、広幅の先端に、周縁をぎざぎざにした略花形状の嵌め込み孔６を貫通している。
【００１５】
合成樹脂シート１は、厚さ０．４mm位のポリエチレンシートである。ロッド組立部２の縦と横の寸法が６０mm位と７５mm位で、巻き戻り防止部５の長さが    １００mm位である。
【００１６】
ロッド組立部２の表面には、図１と図２に示すように、ロッド組立部２より幅の狭い長方形状の面ファスナ７を左側に寄せて重ね、格子状織物の雄型の面ファスナ７の上端をロッド組立部２の上端から突出し、面ファスナ７の下端をロッド組立部２の係合口４上側位置に固定している。
【００１７】
面ファスナ７は、表面に多数のフックを突出し、左右の耳部を除いた中央部  で、所定本数の経糸を配列した糸配列部と経糸を配列しない空白部を交互に配列すると共に、所定本数の緯糸を配列した糸配列部と緯糸を配列しない空白部を交互に配列して、格子状に織り、多数の貫通孔８を形成している。
【００１８】
面ファスナ７は、素材がナイロン糸であり、厚さが２．５mm位で、縦と横の寸法が６５mm位と６０mm位である。
【００１９】
パーマネントウエーブ形成保持具を使用する場合、図３に示すように、ロッド組立部２をその裏面側に湾曲して円筒形状に巻き、係合片３を係合口４に差し込んで係合する。
【００２０】
すると、図３に示すように、ロッド組立部２は、円筒形状の毛巻きロッドｒに組み立てられる。なお、巻き戻り防止部５は、毛巻きロッドｒの左端から左方に突出している。面ファスナ７は、毛巻きロッドｒ外周面の手前側の面ファスナ７固定位置から上方に突出している。
【００２１】
また、面ファスナ７の表面には、図４に示すように、面ファスナ７より若干小さい長方形状の発泡合成樹脂シートのペーパｐを重ねて係止する。なお、ペーパｐは、厚さ１mm位の発泡ウレタンシートである。
【００２２】
毛髪を頭皮側に湾曲する内巻きパーマネントウエーブを形成する場合、面ファスナ７の表面に重ねたペーパｐを、図５に示すように、その左端を残して左方に開いて折り返す。露出した面ファスナ７の表面には、図６に示すように、毛髪ｈを載せて重ねる。左方に開いたペーパｐは、図７に示すように、右方に閉じ、  ペーパｐの右端を面ファスナ７に係止して、面ファスナ７とペーパｐの間に毛髪ｈを挟み、その毛髪ｈの毛先を面ファスナ７の下端とペーパｐの下端の間に配置する。
【００２３】
次に、図８に示すように、毛巻きロッドｒを回転して、面ファスナ７とペーパｐの間に挟んだ毛髪ｈを毛巻きロッドｒを芯にして頭皮側上方に巻き上げ、所望の長さの毛髪ｈを毛巻きロッドｒに巻き付けて渦巻き形状に湾曲する。
【００２４】
毛髪ｈが巻き付いた毛巻きロッドｒの左方に突出した巻き戻り防止部５は、図９に示すように、手前側を経て右方の毛巻きロッドｒ側に折り曲げ、毛巻きロッドｒに巻いた毛髪ｈを横断した巻き戻り防止部５の嵌め込み孔６と、毛巻きロッドｒの右端を嵌合して、毛髪ｈを渦巻き形状に湾曲した状態に保持する。
【００２５】
その後は、従来におけるのと同様である。渦巻き湾曲状態の毛髪ｈには、第１パーマ剤を塗布し、所定時間の経過後、第１パーマ剤を洗い流して第２パーマ剤を塗布し、所定時間の経過後、パーマネントウエーブ形成保持具を取り外して第２パーマ剤を洗い流し、内巻きパーマネントウエーブを形成した毛髪ｈを乾燥する。
【００２６】
毛髪を頭皮と反対側に湾曲する外巻きパーマネントウエーブを形成する場合、図１０に示すように、パーマネントウエーブ形成保持具は、左右を反転し、毛巻きロッドｒを左側に、巻き戻り防止部５を右側に配置し、ペーパｐを表面に係止した面ファスナ７を毛巻きロッドｒ外周面の後側から上方に突出する。
【００２７】
内巻きパーマネントウエーブを形成する場合とほぼ同様にして、図１１に示すように、面ファスナ７とペーパｐの間に毛髪ｈを挟み、その毛髪ｈの毛先を面ファスナ７の下端とペーパｐの下端の間に配置する。
【００２８】
次に、毛巻きロッドｒは、図１２に示すように、内巻きパーマネントウエーブを形成する場合と反対方向に回転して、面ファスナ７とペーパｐの間に挟んだ毛髪ｈを毛巻きロッドｒを芯にして手前側上方に巻き上げ、所望の長さの毛髪ｈを毛巻きロッドｒに巻き付けて渦巻き形状に湾曲する。
【００２９】
毛髪ｈが巻き付いた毛巻きロッドｒの右方に突出した巻き戻り防止部５は、図１３に示すように、後側を経て左方の毛巻きロッドｒ側に折り曲げ、毛巻きロッドｒに巻いた毛髪ｈを横断した巻き戻り防止部５の嵌め込み孔６と、毛巻きロッドｒの左端を嵌合して、毛髪ｈを渦巻き形状に湾曲した状態に保持する。
【００３０】
その後は、従来におけるのと同様である。
【００３１】
パーマネントウエーブ形成保持具を使用した後は、係合片３を係合口４から抜き出し、ロッド組立部２を平面形状に展開する。すると、パーマネントウエーブ形成保持具は、図１と図２に示すように、平面形状になる。
【００３２】
毛髪ｈを毛巻きロッドｒに巻き付ける際、毛髪ｈを、毛巻きロッドｒに固定した面ファスナ７と、面ファスナ７に係止したペーパｐの間に挟むので、巻き付け作業が行ない易い。
【００３３】
また、上記のペーパｐより幅を２倍にしたペーパを二つ折りにして毛髪ｈを挟み、これを上記の面ファスナ７に重ねて係止しても、ほぼ同様に、巻き付け作業が行ない易い。
【００３４】
パーマネントウエーブ形成保持具は、ロッド組立部２の係合片３と係合口４の間の距離などの寸法を増加または減少すると、組み立てられる毛巻きロッドｒの径などが増加または減少し、径の大きいまたは小さいパーマネントウエーブを形成することができる。
【００３５】
【発明の効果】
本発明のパーマネントウエーブ形成保持具は、針金を用いず、合成樹脂シートで構成することができ、軽くなる。また、不使用時には、平面形状になり、嵩張らない。更に、針金が切断して頭皮を傷付ける危険がない。
【図面の簡単な説明】
【図１】本発明の実施形態のパーマネントウエーブ形成保持具の一部破断正面図。
【図２】図１のＡ−Ａ線断面図。
【図３】同パーマネントウエーブ形成保持具を組み立てた状態の正面図。
【図４】同パーマネントウエーブ形成保持具の面ファスナにペーパを係止した状態の正面図。
【図５】同パーマネントウエーブ形成保持具で内巻きパーマネントウエーブを形成する第１工程の正面図。
【図６】同第２工程の正面図。
【図７】同第３工程の正面図。
【図８】同第４工程の正面図。
【図９】同第５工程の正面図。
【図１０】同パーマネントウエーブ形成保持具で外巻きパーマネントウエーブを形成する第１工程の正面図。
【図１１】同第２工程の正面図。
【図１２】同第３工程の正面図。
【図１３】同第４工程の正面図。
【符号の説明】
１  合成樹脂シート
２  ロッド組立部
５  巻き戻り防止部
６  嵌め込み孔
７  面ファスナ
ｒ  毛巻きロッド
ｈ  毛髪
ｐ  ペーパ
【図１】
0003840298.tif 000002
【図２】
0003840298.tif 000003
【図３】
0003840298.tif 000004
【図４】
0003840298.tif 000005
【図５】
0003840298.tif 000006
【図６】
0003840298.tif 000007
【図７】
0003840298.tif 000008
【図８】
0003840298.tif 000009
【図９】
0003840298.tif 000010
【図１０】
0003840298.tif 000011
【図１１】
0003840298.tif 000012
【図１２】
0003840298.tif 000013
【図１３】
0003840298.tif 000014